(57)【特許請求の範囲】
【請求項１】
容器本体の口筒部に装着される中栓部材と、中栓部材を被冠するオーバーキャップとを備えた容器において、
容器本体は、口筒部と、口筒部の下端に連設される肩部および胴部とを備え、
中栓部材は、容器本体の口筒部に装着される装着中栓と、装着中栓上部に装着される注出中栓とを備え、
装着中栓は、容器装着部と、流量調整板とを備え、
流量調整板は、容器装着部の内周側に連設される整流壁と、整流壁に複数形成される流路孔とを備え、
注出中栓は、装着中栓上部に装着する外周壁と、注出筒と、注出筒に形成される栓体とを備え、
オーバーキャップは、頂壁と、外周壁とを備え、
頂壁の裏面には、栓体を抜栓する抜栓機構を備え、
注出中栓の栓体は、注出筒内周に沿って形成される破断可能な薄肉の弱化部を介して接続され、
抜栓機構は、頂壁の裏面から垂設され、注出筒を内周から密封する密封リングに設けられることを特徴とする容器。
【請求項２】
流量調整板は、流路孔が、整流壁の外周縁に沿って等間隔に形成されることを特徴とする請求項１に記載の容器。
【請求項３】
流量調整板は、円形の流路孔が、整流壁の中心から４５°間隔で放射状に８カ所形成されることを特徴とする請求項２に記載の容器。
【請求項４】
流量調整板は、整流壁が外周から中心に向かって上方に傾斜していることを特徴とする請求項１〜３のいずれかに記載の容器。
【請求項５】
中栓部材は、装着中栓と注出中栓とがヒンジを介して連設されることを特徴とする請求項１〜４のいずれかに記載の容器。
【請求項６】
流量調整板は、整流壁の中央部に、上端面が装着時に注出中栓の栓体の下端面が当接する突部が形成されることを特徴とする請求項１〜５のいずれかに記載の容器。
【請求項７】
注出中栓の栓体は、上部中央に筒状壁が立設され、
筒状壁の外周には、縦方向に形成される外歯が複数配設され、
オーバーキャップの頂壁の密封リングの内側に、閉蓋時に筒状壁の内周に嵌入する嵌入ボス部が垂設され、
密封リングの内周には、開蓋時に外歯と当接する縦方向に形成される内歯が複数配設されることを特徴とする請求項１〜６のいずれかに記載の容器。
【発明の詳細な説明】
【技術分野】
【０００１】
本発明は、オーバーキャップを備えた容器に関し、詳しくは、容器本体の口筒部に装着される中栓部材と、中栓部材を被冠するオーバーキャップとを備えた容器に関するものである。
【背景技術】
【０００２】
ソース、ケチャップ等の粘度の異なる内容物を充填する容器として、口筒部に注ぎ口付きの中栓を装着し、その上からオーバーキャップを被冠した容器が従来から知られ、その使用方法は、始めにオーバーキャップを回動して取り外し、その後、プルリングを引っ張り上げて中栓の注ぎ口を開口して、内容物を注ぎ出すというものであった。
そこで、プルリングを引っ張ることなしに、オーバーキャップを回動して持ち上げるだけで、中栓部材の注ぎ口内に形成された栓体を除去できるように構成され、しかも、比較的粘度の低いウスターソースも、比較的粘度の高いとんかつソースにも対応できる中栓部材を装着した容器が知られている。（例えば、特許文献１参照）。
【先行技術文献】
【特許文献】
【０００３】
【特許文献１】特開２００７−１４５３７０号公報
【発明の概要】
【発明が解決しようとする課題】
【０００４】
しかしながら、特許文献１の容器は、ウスターソース、中濃ソース、とんかつソースなど粘度の異なる内容物に対して中栓部材の一部を取り替えて対応するものであり、一組の中栓部材だけでは、粘度の異なる内容物に対応できないという問題があった。
【０００５】
本発明は、上記の問題を解決することを課題とし、容器本体の口筒部に装着される中栓部材と、中栓部材を被冠するオーバーキャップとを備え、オーバーキャップを回動するだけで、簡単に中栓部材の注出口に形成された栓体を除去できるとともに、内容物の粘度が低いものから高いものまで一組の中栓部材で対応できる容器を提供することを目的とする。
【課題を解決するための手段】
【０００６】
本発明は、上記の課題を解決するため、容器として、容器本体の口筒部に装着される中栓部材と、中栓部材を被冠するオーバーキャップとを備えた容器において、容器本体は、口筒部と、口筒部の下端に連設される肩部および胴部とを備え、中栓部材は、容器本体の口筒部に装着される装着中栓と、装着中栓上部に装着される注出中栓とを備え、装着中栓は、容器装着部と、流量調整板とを備え、流量調整板は、容器装着部の内周側に連設される整流壁と、整流壁に複数形成される流路孔とを備え、注出中栓は、装着中栓上部に装着する外周壁と、注出筒と、注出筒に形成される栓体とを備え、オーバーキャップは、頂壁と、外周壁とを備え、頂壁の裏面には、栓体を抜栓する抜栓機構を備え、注出中栓の栓体は、注出筒内周に沿って形成される破断可能な薄肉の弱化部を介して接続され、抜栓機構は、頂壁の裏面から垂設され、注出筒を内周から密封する密封リングに設けられることを特徴とする構成を採用する。
【０００７】
流量調整板の実施形態として、流量調整板は、流路孔が、整流壁の外周縁に沿って等間隔に形成されることを特徴とする構成、流量調整板は、円形の流路孔が、整流壁の中心から４５°間隔で放射状に８カ所形成されることを特徴とする構成、流量調整板は、整流壁が外周から中心に向かって上方に傾斜していることを特徴とする構成、流量調整板は、整流壁の中央部に、上端面が装着時に注出中栓の栓体の下端面が当接する突部が形成されることを特徴とする構成を採用する。
【０００８】
中栓部材の実施形態として、中栓部材は、装着中栓と注出中栓とがヒンジを介して連設されることを特徴とする構成を採用する。
また、注出中栓の実施形態として、注出中栓の栓体は、上部中央に筒状壁が立設され、筒状壁の外周には、縦方向に形成される外歯が複数配設され、オーバーキャップの頂壁の密封リングの内側に、閉蓋時に筒状壁の内周に嵌入する嵌入ボス部が垂設され、密封リングの内周には、開蓋時に外歯と当接する縦方向に形成される内歯が複数配設されることを特徴とする構成を採用する。
【発明の効果】
【０００９】
本発明は、容器本体の口筒部に装着される中栓部材と、中栓部材を被冠するオーバーキャップとを備えた容器において、中栓部材は、容器本体の口筒部に装着される装着中栓と、装着中栓上部に装着される注出中栓とを備え、装着中栓に流量調整板を備えたことにより、一組の中栓部材で、内容物の粘度の低いものから高いものまで対応できる。
【００１０】
また、本発明の流量調整板は、整流壁が外周から中心に向かって上方に傾斜していることにより、整流壁の上に残った内容液を速やかに外周縁に設けた流路孔に案内し、流路孔を介して内容液を容器本体内に回収することができる。
さらに、本発明の流量調整板は、整流壁の中央部に、上端面が装着時に装着中栓の栓体の下端面が当接する突部が形成されることにより、注出中栓を装着中栓上部に装着した後に、注出中栓の栓体は、下端面が装着中栓の流量調整板の突部の上端面に当接して下降を防止しているので、栓体が下方に押し込まれて弱化部を破断することを防止できる。
【図面の簡単な説明】
【００１１】
【図１】本発明の容器におけるオーバーキャップを被冠した状態の説明図で、（ａ）は断面立面図、（ｂ）は（ａ）のＸ−Ｘ線断面の上面拡大図である。
【図２】中栓部材を装着した容器の説明図で、（ａ）は上面図、（ｂ）は断面立面図である。
【図３】中栓部材の説明図で、（ａ）は立面図、（ｂ）は下面図である。
【図４】装着中栓の説明図で、（ａ）は上面図、（ｂ）は断面立面図である。
【図５】注出中栓の説明図で、（ａ）は上面図、（ｂ）は断面立面図である。
【図６】オーバーキャップの説明図で、（ａ）は断面立面図、（ｂ）は下面図である。
【図７】本発明の容器における注出時の説明図で、（ａ）は断面側面図、（ｂ）は内容物と流量調整板との関係を表す図である。
【発明を実施するための最良の形態】
【００１２】
次に、本発明のオーバーキャップを備えた容器について、実施例をあげ、図面を参照して説明する。
【実施例】
【００１３】
図１において、Ａは容器本体、Ｂは容器本体Ａの口筒部に装着される中栓部材、Ｃは中栓部材Ｂを被冠し、容器内を密封するオーバーキャップである。
【００１４】
容器本体Ａは、図１および２に示すように、円筒状の口筒部１と、口筒部１の下端に連設され、横断面が角部を円弧とした略四角形に形成される肩部２および胴部３とを備えており、口筒部１には、上部外周に、係合突条４が設けられ、その下方に環状のネックリング５が設けられている。
【００１５】
肩部２は、図２に示すように、口筒部１の下端から略四角形を形成するように延びる肩壁６と、肩壁６下端から下方に向かい拡径する傾斜壁７と、傾斜壁７の下端外周に連設され、胴部３の上端に接続する段部８とを備えている。
傾斜壁７は、４辺の辺部７ａと４個の角部７ｂとから形成されており、辺部７ａの中央部には、係合凹部９が凹設されている。
【００１６】
中栓部材Ｂは、図１〜３に示すように、容器本体Ａの口筒部１に装着される装着中栓Ｂ１と、装着中栓Ｂ１上部に装着される注出中栓Ｂ２と、装着中栓Ｂ１と注出中栓Ｂ２とを連設するヒンジＢ３とから構成されている。
【００１７】
装着中栓Ｂ１は、図１〜４に示すように、容器本体Ａの口筒部１に装着する容器装着部Ｂ１ａと、容器装着部Ｂ１ａの内側に形成される流量調整板１４とを備えている。容器装着部Ｂ１ａは、装着時に口筒部１の上端面と当接する環状の上壁１０と、上壁１０の外周縁から垂設される外筒１１と、上壁１０の内周縁から垂設される内筒１３とから構成されている。
【００１８】
上壁１０には、内周縁から装着筒１２が立設されており、外筒１１は、内周面下端部に、口筒部１の係合突条４と係合する係合部１５が形成され、外周上部の所定の位置にヒンジＢ３が連設されている。
【００１９】
装着筒１２の上部外周には、注出中栓Ｂ２と係合する係合突部１６が設けられている。
【００２０】
流量調整板１４は、内筒１３の内周下端から中心に向かって上方に傾斜するテーパ状の整流壁１７と、整流壁１７の中央部に立設されるドーム状の突部１８とから構成され、整流壁１７の外周側には、円周に沿って等間隔に複数の流路孔１９が形成されている。
【００２１】
注出中栓Ｂ２は、図１〜３および５に示すように、環状の上壁２０と、上壁２０の外周縁から垂設される外周壁２１と、上壁２０の下面に垂設される内筒２２と、上壁２０の内周縁から立設される注出筒２３と、注出筒２３の内周の下端近傍に沿って形成される破断可能な薄肉の弱化部２４を介して接続される円盤状の栓体２５とから構成されている。
なお、本実施例では、栓体２５は、注出筒２３の内周に形成されているが、後述する抜栓機構によって抜栓できるものであれば、注出筒２３の上端など、どこに形成されていても構わない。
【００２２】
外周壁２１の外周には、所定の個所に位置決め手段として、直線状の切欠面２１ａが形成されており、切欠面２１ａ以外の外周下部の所定の位置にヒンジＢ３を連設している。
なお、本実施例では、図３（ｂ）に示すように、切欠面２１ａは、上下２カ所に形成されているが、少なくとも１カ所に形成されていればよい。
また、本実施例では、容器本体Ａの肩部２および胴部３が略四角形に形成されているため、後述するように、ヒンジＢ３を設けない場合には、切欠面２１ａは、上下左右の４カ所に形成するのが好ましい。
外周壁２１の内周下端には、装着中栓Ｂ１上部に装着する際に、装着筒１２の係合突部１６と係合する係合凸条２９が形成されている。
【００２３】
栓体２５は、下側面にテーパ部が形成され、上部中央に筒状壁２６が立設され、筒状壁２６の上端内周には、嵌合凸条２７が形成されるとともに、筒状壁２６の外周には、縦方向に形成された外歯２８が４本配設されている。
なお、本実施例では、外歯２８の数を４本としているが、これよりも少ない本数でも、多い本数でも構わない。
また、栓体２５の下端面は、注出中栓Ｂ２の装着時に装着中栓Ｂ１の突部１８の上端面と当接するようになっている。
【００２４】
ヒンジＢ３は、図１〜３に示すように、径方向外方にほとんど突出しないヒンジ構造を採用することで、注出中栓Ｂ２を装着中栓Ｂ１上部に装着した際に、外周に凸部ができないので、見た目がよい。
もちろん、外周の一部に凸部が残る通常のヒンジでも構わない。
【００２５】
オーバーキャップＣは、図１および６に示すように、頂壁３０と、頂壁３０外縁に垂設される外周壁３１とを備えており、横断面形状は略四角形に形成されている。
【００２６】
頂壁３０の裏面には、中央から外周先端部に嵌合部３２が形成される嵌入ボス部３３が垂設されており、嵌入ボス部３３の外側には、閉蓋時に外周が注出筒２３の内周を密封する筒状の密封リング３４が垂設され、密封リング３４の外側には、中筒壁３５が垂設されている。
なお、本実施例では、閉蓋時に、密封リング３４の外周が注出筒２３の内周を密封するようにしているが、注出筒の外周を密封リングの内周によって密封するようにしてもよい。
【００２７】
密封リング３４の内周面には、栓体２５を抜栓する抜栓機構として、縦方向に形成された内歯３６が４本配設されている。
なお、本実施例では、内歯３６の数を４本としているが、前述した外歯２８の数と同様に、これよりも少ない本数でも、多い本数でもよく、外歯２８と同数設けることが好ましい。
さらに、抜栓機構として、内歯３６と外歯２８とをローレット状に形成し、中栓部材ＢとオーバーキャップＣとの位置決めを必要としない機構を採用しても構わない。
また、本実施例では、抜栓機構は、密封リング３４に設けられているが、嵌入ボス部３３など、頂壁３０の裏面に設けられるものであればよい。
【００２８】
外周壁３１は、四辺の辺部３１ａと、４個の角部３１ｂとから形成されている。
辺部３１ａの内面中央部には、中筒壁３５の外周から頂壁３０の裏面を経て外周壁３１の下端近傍まで延びる係止リブ３７が設けられている。
【００２９】
係止リブ３７は、下端先端部に、容器本体Ａの肩部２の傾斜壁７に設けられたいずれかの係合凹部９に係合する係止部３８が形成され、容器本体Ａのネックリング５の先端部に当接する位置には、上方から内側壁３９が形成され、それら以外の内側面が、容器本体Ａと装着中栓Ｂ１と注出中栓Ｂ２の外周面と当接しないように形成されている。
内側壁３９の下部には、閉蓋時に上部がネックリング５の外周下部に係合する係止突部４０が設けられている。
【００３０】
次に、本実施例の使用態様と作用効果について説明する。
本実施例のオーバーキャップを備えた容器の組み立て作業は、まず、注出中栓Ｂ２を装着中栓Ｂ１に対してヒンジＢ３を支点に廻動させ、注出中栓Ｂ２を装着中栓Ｂ１上部に装着して、中栓部材Ｂをセットする。
その際、装着中栓Ｂ１の装着筒１２に形成された係合突部１６を注出中栓Ｂ２の外周壁２１の内周に形成された係合凸条２９と係合することで嵌着される。
また、本実施例では、装着中栓Ｂ１の流量調整板１４の突部１８の上端面に、注出中栓Ｂ２の栓体２５の下端面が当接するようにしているが、両者が当接している必要はなく、打栓の際に、当接する位置に設けてあればよい。
【００３１】
本実施例の中栓部材Ｂは、ヒンジＢ３を介して装着中栓Ｂ１と注出中栓Ｂ２とを連設しているので、成形の際、一つの金型で成形することができ、生産効率を上げることができる。
また、注出中栓Ｂ２と装着中栓Ｂ１がヒンジＢ３で一組となっているので、両者をセットする際の作業効率が向上する。
【００３２】
その後、内容物が充填された容器本体Ａの口筒部１に中栓部材Ｂを打栓して装着する。
打栓工程は、装着中栓Ｂ１の内筒１３と上壁１０と外筒１１とで形成される環状溝部に容器本体Ａの口筒部１を当てがい、注出中栓Ｂ２の上壁２０の上から押圧力を加えることによって、外筒１１の係合部１５が口筒部１の係合突条４を乗り越えて嵌合し、口筒部１を、外筒１１の内周と内筒１３の外周および上壁１０とによって挟持することで嵌着する。
また、注出中栓Ｂ２の外周壁２１の切欠面２１ａの直線を、略四角形に形成されている容器本体Ａの肩部２および胴部３のいずれかの辺と平行して装着することで、容器本体Ａに対して注出中栓Ｂ２が位置決めされる。
【００３３】
最後に、中栓部材Ｂを覆うように、容器本体ＡにオーバーキャップＣを被冠することにより、作業が完了する。
【００３４】
オーバーキャップＣによる被冠工程では、外周壁３１の辺部３１ａおよび角部３１ｂの位置を容器本体Ａの傾斜壁７の辺部７ａおよび角部７ｂにそれぞれ合わせながら、容器本体Ａの上方からオーバーキャップＣを押し下げて係合させるとともに、容器本体Ａの肩部２の傾斜壁７の辺部７ａに形成される係合凹部９に、オーバーキャップＣの係止リブ３７に形成される係止部３８を係合させる。
【００３５】
これと同時に、オーバーキャップＣの嵌入ボス部３３外周の嵌合部３２は、注出中栓Ｂ２の栓体２５上部に形成される筒状壁２６内周の嵌合凸条２７を乗り越えて嵌入するとともに、密封リング３４内周の内歯３６は、筒状壁２６外周の外歯２８がない空間に入り込む。
【００３６】
容器本体Ａに対して注出中栓Ｂ２を所定の位置関係をもって装着することにより、注出筒２３内の栓体２５の筒状壁２６外周の外歯２８がない空間に、密封リング３４内周の内歯３６が入り込む位置に設定することができ、内歯３６（オーバーキャップ内面に設けられる部材）と外歯２８（注出中栓表面に設けられる部材）とが衝突（干渉）して栓体２５を下方に押し込むことがない。
また、注出中栓Ｂ２を装着中栓Ｂ１上部に装着した後に、注出中栓Ｂ２の栓体２５は、下端面が装着中栓Ｂ１の流量調整板１４の突部１８の上端面に当接して下降を防止しているので、栓体２５が下方に押し込まれて弱化部２４を破断することを防止できる。
【００３７】
容器本体Ａのネックリング５の外縁と、オーバーキャップＣの係止リブ３７の内側壁３９の下部とが摺動するとともに、それぞれの係止突部４０を乗り越え、係止突部４０の上部とネックリング５の外縁下部が係合し、オーバーキャップＣが容器本体Ａから外れることを防止する。
【００３８】
オーバーキャップを備えた容器の使用にあたっては、まず、オーバーキャップＣを把持していずれかの方向へ回動させる。
オーバーキャップＣを回動させると、オーバーキャップＣの係止リブ３７の係止部３８が、傾斜壁７の係合凹部９から離れ、傾斜壁７の表面に当接することによって、外周壁３１の辺部３１ａを変形させるとともに、オーバーキャップＣが持ち上がる。
オーバーキャップＣが持ち上がると、容器本体Ａのネックリング５の外縁と、オーバーキャップＣ内方の係止リブ３７の内側壁３９との係合が外れ、オーバーキャップＣが容器本体Ａから外れ、開蓋される。
【００３９】
オーバーキャップＣの回動と同時に、密封リング３４内周に形成される内歯３６は、注出中栓Ｂ２の筒状壁２６外周に形成される外歯２８と衝当して、注出中栓Ｂ２の栓体２５が回転することにより薄肉の弱化部２４を破断し、注出中栓Ｂ２から栓体２５が切り離されることにより、抜栓され、図７に示すように、注出筒２３の内周に沿って注出口を開口する。
その際に、注出中栓Ｂ２から切り離される栓体２５は、筒状壁２６にオーバーキャップＣの嵌入ボス部３３が嵌入することにより、そのままオーバーキャップＣに保持される。
【００４０】
内容物の注出にあたっては、オーバーキャップＣを取外したまま容器を傾けていき、注出中栓Ｂ２の注出筒２３から内容物を注出する。
【００４１】
本実施例の容器は、内容物がウスターソース等の粘度が低い液状のものである場合、図７に示すように、容器の傾きに対して、容器本体Ａ内の内容液が装着中栓Ｂ１の流量調整板１４の整流壁１７により一旦堰き止められ、整流壁１７の内容液が接触する下側の流路孔１９を流路として内筒１３内に流入し、注出筒２３から注出される。
また、整流壁１７の内容液が接触しない上側の流路孔１９が空気の流通路となり、容器本体Ａ外内との空気置換がされるので、内容液の脈動を防止し、内容液を安定して内筒１３内に流入させることができる。
【００４２】
粘度の低い内容液が装着中栓Ｂ１の流量調整板１４の流路孔１９を流路として内筒１３内に安定して流入されることにより、容器の傾き角度による内容液の流量における液流の乱れを整流し、注出筒２３から安定して注出することができるので、一気に容器を傾けすぎてしまっても、内容液を一気に注出してしまったり、飛び散ったりしてしまうことを防止できる。
【００４３】
内容物がとんかつソース等の粘度がある程度高い液状のものである場合は、液の粘度により、液の流れる速度が遅くなるので、一気に容器を傾けすぎてしまっても、内容液を一気に注出してしまうことがない。
【００４４】
本実施例の中栓部材Ｂは、装着中栓Ｂ１と注出中栓Ｂ２とからなり、装着中栓Ｂ１に流量調整板１４を設けたことにより、とんかつソース等の粘度のある程度高い液状のものや、ウスターソース等の粘度が低い液状のものであっても、容器を傾けすぎて内容液を一気に注出してしまうことがない中栓として一種類の中栓で対応することが可能である。
【００４５】
本実施例では、図４に示すように装着中栓Ｂ１の流量調整板１４の流路孔１９を、上面から見て流量調整板１４の半径Ｒの半分よりやや小さい直径Ｌの円形に形成し、整流壁１７の外周縁に沿って４５°間隔で放射状に８カ所配設されている。
例えば、流路孔１９の直径が小さすぎると、粘度の高い内容液が孔でつまり注出することができなくなり、また、流路孔１９の直径が大きすぎると、粘度の低い内容液が一気に流入してしまい整流することができなくなる。
また、流路孔１９が整流壁１７の内周側にあると、内容液を注出するのに容器を余計に傾けなくてはならなくなるとともに、容器を傾け角度が早い段階で整流壁１７の上側の流路孔１９まで内容液が接触してしまい空気の流通路を塞ぎ、容器本体Ａ外内との空気置換がされなくなり、注出を止めてしまう。
さらにまた、整流壁１７に配設される放射状の流路孔１９の数が多くなると、粘度の低い内容液が整流壁１７により一旦堰き止められなくなり、一気に内筒１３内に流入してしまって整流することができなくなり、また、流路孔１９の数が少なくなると、流路が限定され、内筒１３内に流入する量が少なくなって、注出に時間がかかることになる。
以上のように、本実施例の装着中栓Ｂ１の流量調整板１４のように、流路孔１９を構成するのが最も好ましい。
【００４６】
内容物の注出後は、容器の傾きを戻し、最初の閉蓋と同様に、外周壁３１の辺部３１ａおよび角部３１ｂの位置を傾斜壁７の辺部７ａおよび角部７ｂにそれぞれ合わせながら、容器本体Ａの上方からオーバーキャップＣを押し下げると、容器本体Ａが閉蓋される。
その際に、オーバーキャップＣの密封リング３４は、内周に注出中栓Ｂ２から破断された栓体２５を嵌入ボス部３３に保持した状態で、注出中栓Ｂ２の注出筒２３の内周に挿入され、容器内を密封する。
【００４７】
本実施例では、装着中栓Ｂ１の流量調整板１４の整流壁１７は、外周に向かって下方に傾斜しているので、整流壁１７の上に残った内容液を速やかに外周縁に設けた流路孔１９に案内し、流路孔１９を介して内容液を容器本体Ａ内に回収することができる。
なお、整流壁１７は、本実施例のようにテーパ状ではなく、水平な板状としても構わない。
【００４８】
本実施例では、装着中栓Ｂ１と注出中栓Ｂ２とをヒンジＢ３を介して一体成形しているが、ヒンジＢ３を無くし、装着中栓Ｂ１と注出中栓Ｂ２を別体で成形し、組み立て時にセットするようにしてもよい。
【００４９】
本実施例では、容器の横断面形状を略四角形に形成しているが、位置合わせしてオーバーキャップを容器本体に上方から押込んで閉蓋し、オーバーキャップを回動することで、開蓋できればよいので、容器の形状は、横断面形状が辺部と角部が複数存在する多角形状であってもよく、また、位置合わせなしにオーバーキャップを容器本体に上方から押し込んで閉蓋し、オーバーキャップを回動することで開蓋する機構であれば容器の横断面形状は円形の他、どのような形状であってもよい。
また、オーバーキャップを容器本体に上方から押込んで閉蓋し、最初の開蓋時にオーバーキャップを回動することで注出中栓の栓体を抜栓できればよいので、注出中栓およびオーバーキャップにおける栓体の抜栓機構は、どのようなものでもよい。
【産業上の利用可能性】
【００５０】
本発明は、オーバーキャップを容器本体に対して上方から押し込むことで閉蓋し、オーバーキャップを回動することで開蓋する容器において、中栓部材内に流量調整板を設け、中栓部材内で液流を整流して注出筒から注出することにより、内容物が粘度のある程度高い液状のものや、粘度が低い液状のものであっても、一種類の中栓部材で対応できるので、内容物の如何にかかわらず、広く使用することができる。
【符号の説明】
【００５１】
Ａ            容器本体
Ｂ            中栓部材
Ｂ１          装着中栓
Ｂ１ａ        容器装着部
Ｂ２          注出中栓
Ｂ３          ヒンジ
Ｃ            オーバーキャップ
Ｒ            流量調整板の半径
Ｌ            流路孔の直径
１            口筒部
２            肩部
３            胴部
４            係合突条
５            ネックリング
６            肩壁
７            傾斜壁
７ａ          辺部
７ｂ          角部
８            段部
９            係合凹部
１０          上壁
１１          外筒
１２          装着筒
１３          内筒
１４          流量調整板
１５          係合部
１６          係合突部
１７          整流壁
１８          突部
１９          流路孔
２０          上壁
２１          外周壁
２１ａ        切欠面
２２          内筒
２３          注出筒
２４          弱化部
２５          栓体
２６          筒状壁
２７          嵌合凸条
２８          外歯
２９          係合凸条
３０          頂壁
３１          外周壁
３１ａ        辺部
３１ｂ        角部
３２          嵌合部
３３          嵌入ボス部
３４          密封リング
３５          中筒壁
３６          内歯
３７          係止リブ
３８          係止部
３９          内側壁
４０          係止突部
【図１】
0006452521.tif 000002
【図２】
0006452521.tif 000003
【図３】
0006452521.tif 000004
【図４】
0006452521.tif 000005
【図５】
0006452521.tif 000006
【図６】
0006452521.tif 000007
【図７】
0006452521.tif 000008